(57)【特許請求の範囲】
【請求項１】
インターフェースユニット及びサービス処理装置を備える光回線終端装置であって、
前記インターフェースユニットは、前記サービス処理装置が伝送したイーサネット（登録商標）フォーマットのデータを受信し、受信したイーサネットフォーマットのデータに対しプロトコル処理を行い、プロトコル処理済みのデータを送信インターフェースと対応する伝送信号に変換して更に外部装置に伝送し、及び前記外部装置が送信したメッセージデータを受信し、前記メッセージデータを前記サービス処理装置と対応するプロトコル処理を行い、プロトコル処理済みの信号をイーサネットフォーマットのデータに変換し、且つ前記サービス処理装置に伝送するように設置され、
前記サービス処理装置は、前記インターフェースユニットが伝送したデータをサービス処理し、且つ処理済みのデータを前記インターフェースユニットに伝送するように設置され、
前記サービス処理装置はコアエリア、バックプレーンエリア、電源エリア及びファンエリアを含み、そのうち、
前記コアエリアは、前記インターフェースユニットが伝送する信号をサービス処理し、且つ処理済みの信号を前記インターフェースユニットに伝送し、及び前記バックプレーンエリアにより各サービス間のデータ伝送を達成するように設置され、
前記コアエリアは、直通ドーターカード、低速スイッチングドーターカード及び高速スイッチングドーターカードを含み、
前記直通ドーターカードは、各スイッチングドーターカードと通信するように設置され、前記スイッチングドーターカードは低速スイッチングドーターカード及び高速スイッチングドーターカードを含み、
前記高速スイッチングドーターカードは公共スイッチングモジュール、公共管理モジュール、公共クロックモジュール及びカスケード通信モジュールを含み、そのうち、
前記公共スイッチングモジュールは、前記インターフェースユニットが出力したイーサネット信号を受信し、スイッチング部分のメッセージ修正及び転送動作を完成し、ネットワークマネジメントに報告するまたはＣＰＵに処理する必要があるメッセージに対して、前記インターフェースユニット中に指定されたイーサネットインターフェースを介して前記公共管理モジュールに転送し、ローカルにＣＰＵがなくまたはローカルＣＰＵが処理することができないためＣＰＵ処理を行うことができないメッセージに対して、直接に前記公共管理モジュールに転送し、普通のサービスメッセージに対して、前記カスケード通信モジュールに転送するように設置され、
前記公共管理モジュールは、受信したネットワークマネジメントに報告するまたはＣＰＵに処理する必要があるメッセージに対してローカルＣＰＵ処理を行い、ローカルにＣＰＵがなくまたはローカルＣＰＵが処理することができないためＣＰＵ処理を行うことができないメッセージに対して、当該公共管理モジュールのパッケージングにより直接に前記バックプレーンエリアに出力し、及びバックプレーンエリアからの管理情報メッセージを受信するように設置され、
前記公共クロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートするように設置され、
前記カスケード通信モジュールは、受信した普通のサービスメッセージに対し処理を行い、外部装置に送信する時に含む情報を確定するように設置され、
前記低速スイッチングドーターカードはローカルスイッチングモジュール、ローカル管理モジュール、ローカルクロックモジュール及びパネル間通信モジュールを含み、そのうち、
前記ローカルスイッチングモジュールは、前記インターフェースユニットが出力したイーサネット信号を受信し、スイッチング部分のメッセージ修正及び転送稼動を完成し、ネットワークマネジメントに報告するまたはＣＰＵに処理する必要があるメッセージに対して、前記インターフェースユニット中に指定されたイーサネットインターフェースを介して前記ローカル管理モジュールに転送し、ローカルにＣＰＵがなくまたはローカルＣＰＵが処理することができないためＣＰＵ処理を行うことができないメッセージに対して、直接に前記ローカル管理モジュールに転送し、普通のサービスメッセージに対して、前記カスケード通信モジュールに転送するように設置され、
前記ローカル管理モジュールは、受信したネットワークマネジメントに報告するまたはＣＰＵに処理する必要があるメッセージに対してローカルＣＰＵ処理を行い、ローカルにＣＰＵがなくまたはローカルＣＰＵが処理することができないためＣＰＵ処理を行うことができないメッセージに対して、本公共管理モジュールのパッケージングにより直接に前記バックプレーンエリアに出力し、及びバックプレーンエリアからの管理情報メッセージを受信するように設置され、
前記ローカルクロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートするように設置され、
前記パネル間通信モジュールは、受信した普通のサービスメッセージを処理し、メッセージのバックプレーンエリアでのパッケージングの変換を完成し、及びデータを別の低速スイッチングドーターカードまたは当該装置内の高速スイッチングドーターカードに伝送するように設置される光回線終端装置。
【請求項２】
前記サービス処理装置はイーサネットスイッチを用いて達成される請求項１に記載の終端装置。
【請求項３】
前記インターフェースユニットは、
イーサネット受動光ネットワーク（ＥＰＯＮ）インターフェースドーターカード、ギガビット受動光ネットワーク（ＧＰＯＮ）インターフェースドーターカード、１０Ｇ  ＧＰＯＮインターフェースドーターカード、１０Ｇ  ＥＰＯＮインターフェースドーターカード、直交周波数分割多重受動光ネットワーク（ＯＦＤＭ−ＰＯＮ）インターフェースドーターカード、波長分割多重受動光ネットワーク（ＷＤＭ−ＰＯＮ）インターフェースドーターカード、ファーストイーサネット（ＦＥ）電気インターフェースドーターカード、ギガイーサネット（ＧＥ）光電気インターフェースドーターカード、Ｅ１インターフェースドーターカード、Ｔ１インターフェースドーターカード、ＳＴＭ−１光ポートドーターカード、ＳＴＭ−４光ポートドーターカード、ＲＳ２３２シリアルポートドーターカード、ＢＩＴＳインターフェースドーターカードのうちの１種または複数のインターフェースドーターカードを含む請求項１〜２のいずれか一つに記載の終端装置。
【請求項４】
前記コアエリア中における複数の低速スイッチングドーターカード及び高速スイッチングドーターカードを一つのスイッチングドーターカードに仮想して使用する請求項１に記載の終端装置。
【請求項５】
前記コアエリア中における複数の高速スイッチングドーターカードをカスケード使用する請求項１に記載の終端装置。
【請求項６】
光回線終端装置中においてインターフェースユニットは、外部装置が送信したメッセージデータを受信し、メッセージデータを、光回線終端装置中においてサービス処理装置と対応するプロトコル処理を行い、更にプロトコル処理済みの信号をイーサネットフォーマットのデータに変換し、前記サービス処理装置に伝送することと、
前記サービス処理装置は、前記インターフェースユニットが伝送したデータをサービス処理し、処理済みのデータをイーサネットフォーマットに従って前記インターフェースユニットに伝送することと、
前記インターフェースユニットは、前記サービス処理装置が伝送するイーサネットフォーマットのデータを受信し、受信したイーサネットフォーマットのデータに対しプロトコル処理を行い、プロトコル処理済みのデータを送信インターフェースと対応する伝送信号に変換して更に外部装置に伝送することと、を含み、
前記サービス処理装置はコアエリア、バックプレーンエリア、電源エリア及びファンエリアを含み、前記サービス処理装置は、前記インターフェースユニットが伝送したデータに対しサービス処理を行い、処理済みのデータをイーサネットフォーマットに従って前記インターフェースユニットに伝送するステップは、
前記コアエリアは前記インターフェースユニットが伝送する信号に対しサービス処理を行い、且つ処理済みの信号を前記インターフェースユニットに伝送し、及び前記バックプレーンエリアにより各サービス間のデータ伝送を実現することを含み、
前記コアエリアは直通ドーターカード、低速スイッチングドーターカード及び高速スイッチングドーターカードを含み、前記高速スイッチングドーターカードは公共スイッチングモジュール、公共管理モジュール、公共クロックモジュール及びカスケード通信モジュールを含み、前記低速スイッチングドーターカードはローカルスイッチングモジュール、ローカル管理モジュール、ローカルクロックモジュール及びパネル間通信モジュールを含み、
前記コアエリアは前記インターフェースユニットが伝送する信号に対しサービス処理を行い、且つ処理済みの信号を前記インターフェースユニットに伝送し、及び前記バックプレーンエリアにより各サービス間のデータ伝送を実現するステップは、
前記直通ドーターカードは各スイッチングドーターカードと通信し、前記スイッチングドーターカードは低速スイッチングドーターカード及び高速スイッチングドーターカードを含むことと、
前記公共スイッチングモジュールは、前記インターフェースユニットが出力したイーサネット信号を受信し、スイッチング部分のメッセージ修正及び転送動作を完成し、ネットワークマネジメントに報告するまたはＣＰＵに処理する必要があるメッセージに対して、前記インターフェースユニット中に指定されたイーサネットインターフェースを介して前記公共管理モジュールに転送し、ローカルにＣＰＵがなくまたはローカルＣＰＵが処理することができないためＣＰＵ処理を行うことができないメッセージに対して、直接に前記公共管理モジュールに転送し、普通のサービスメッセージに対して、前記カスケード通信モジュールを転送することと、
前記公共管理モジュールは、受信したネットワークマネジメントに報告するまたはＣＰＵに処理する必要があるメッセージに対してローカルＣＰＵ処理を行い、ローカルにＣＰＵがなくまたはローカルＣＰＵが処理することができないためＣＰＵ処理を行うことができないメッセージに対して、当該公共管理モジュールのパッケージングにより直接に前記バックプレーンエリアに出力し、及びバックプレーンエリアからの管理情報メッセージを受信することと、
前記公共クロックモジュールは、前記インターフェースユニットを経た後の入力クロック信号に対し処理を行い、スイッチングモジュールに接続する任意の２チャネルのインターフェース信号のチャンネル関連クロック信号の設定及び抽出をサポートし、バックプレーンエリアへの直接通信をサポートすることと、
前記カスケード通信モジュールは、受信した普通のサービスメッセージに対し処理を行い、外部装置に送信する時に含む情報を確定することと、
前記ローカルスイッチングモジュールは、前記インターフェースユニットが出力したイーサネット信号を受信し、スイッチング部分のメッセージ修正及び転送稼動を完成し、ネットワークマネジメントに報告するまたはＣＰＵに処理する必要があるメッセージに対して、前記インターフェースユニット中に指定されたイーサネットインターフェースを介して前記ローカル管理モジュールに転送し、ローカルにＣＰＵがなくまたはローカルＣＰＵが処理することができないためＣＰＵ処理を行うことができないメッセージに対して、直接に前記ローカル管理モジュールに転送し、普通のサービスメッセージに対して、前記カスケード通信モジュールを転送することと、
前記ローカル管理モジュールは、受信したネットワークマネジメントに報告するまたはＣＰＵに処理する必要があるメッセージに対してローカルＣＰＵ処理を行い、ローカルにＣＰＵがなくまたはローカルＣＰＵが処理することができないためＣＰＵ処理を行うことができないメッセージに対して、本公共管理モジュールのパッケージングにより直接に前記バックプレーンエリアに出力し、及びバックプレーンエリアからの管理情報メッセージを受信することと、
前記ローカルクロックモジュールは、前記インターフェースユニットを経た後の入力クロック信号に対し処理を行い、スイッチングモジュールに接続する任意の２チャネルのインターフェース信号のチャンネル関連クロック信号の設定及び抽出をサポートし、バックプレーンエリアへの直接通信をサポートすることと、
前記パネル間通信モジュールは、受信した普通のサービスメッセージを処理し、メッセージのバックプレーンエリアでのパッケージングの変換を完成し、及びデータを別の低速スイッチングドーターカードまたは本装置内の高速スイッチングドーターカードに伝送することと、を含む光回線終端装置の実現方法。
【請求項７】
前記サービス処理装置はイーサネットスイッチを用いて実現される請求項６に記載の方法。
【請求項８】
前記コアエリア中における複数の低速スイッチングドーターカード及び高速スイッチングドーターカードを一つのスイッチングドーターカードに仮想して使用する請求項６に記載の方法。
【請求項９】
前記コアエリア中における複数の高速スイッチングドーターカードをカスケード使用する請求項６に記載の方法。
【発明の詳細な説明】
【技術分野】
【０００１】
本発明はＰＯＮ（Ｐａｓｓｉｖｅ  Ｏｐｔｉｃａｌ  Ｎｅｔｗｏｒｋ、受動光ネットワーク）分野に関し、具体的にＯＬＴ（ｏｐｔｉｃａｌ  ｌｉｎｅ  ｔｅｒｍｉｎａｌ、光回線終端）装置及びその実現方法に関する。
【背景技術】
【０００２】
受動光ネットワーク（ＰＯＮ）システムはピュアメディアネットワークであり、外部装置の電磁干渉及び雷と稲光の影響を避け、回路及び外部装置の故障率を減少させ、システム信頼性が高く、光ファイバリソースを節約し、メインテナンスコストが低く、ネットワークプロトコルに対して透明である特徴を有し、電気通信メインテナンス部門にとって待望の技術である。従来、受動光ネットワークシステムの標準的なアプリケーションネットワーキングは図１に示される。
【０００３】
光回線終端（ＯＬＴ）装置は受動光ネットワーク（ＰＯＮ）システムのセンターオフィス装置であり、一つのマルチサービス提供プラットフォームであり、同時にＩＰサービス及び従来のＴＤＭ（Ｔｉｍｅ  Ｄｉｖｉｓｉｏｎ  Ｍｕｌｔｉｐｌｅｘｉｎｇ、時分割多重化）サービスをサポートする。メトロポリタンエリアネットワーク縁またはコミュニティアクセスネットワークの出口に置き、アクセスサービスを収束してそれぞれＩＰネットワークに伝達する。それはＯＤＮ（Ｏｐｔｉｃａｌ  Ｄｉｓｔｒｉｂｕｔｉｏｎ  Ｎｅｔｗｏｒｋ、スプリッター）によりリモートの複数のＯＮＵ（Ｏｐｔｉｃａｌ  Ｎｅｔｗｏｒｋ  Ｕｎｉｔ、光ノード）に接続して、ユーザデータの転送を完成することができる。それはＰＯＮポートを用いてスプリッターによりリモートのＯＮＵのＰＯＮポートに接続し、ＯＬＴとＯＮＵの情報伝送及びスイッチングを完成し、１０／１００／１０００Ｍの電気ポート（ＲＪ４５）又は１０００Ｍの光ポート（ＳＦＰ又はＧＢＩＣ）を用いてセンターオフィス装置と通信し、ＯＬＴと上位装置のメッセージスイッチングを完成する。従来、ＯＬＴ装置システムの構造は図２に示される。それはサービスパネル（すなわちＰＯＮラインカード）、スイッチングコントロールパネル（すなわちコントロールボード）、バックプレーン、アップリンクパネル、電源及びファンからなる。上りリンクのサービスに対して受動光ネットワーク（ＰＯＮ）ラインカードにより各種のＰＯＮプロトコルの処理及びパケット処理、フロー管理を完成し、次にスイッチングコントロールパネル（コントロールボード）に送信される。スイッチングコントロールパネルは各ラインカードの間の通信を制御し及び各ラインカード送信アップリンクポートを制御する。スイッチングコントロールパネルのスイッチング容量は従来の光回線終端（ＯＬＴ）装置の容量及び集積度を決める。
【０００４】
従来の宅内ネットワークの構築においてデータ、電話、テレビの３種のネットワークをそれぞれ各戸への引き込む状況が新しいアクセスネットワーク中に発生して、重複建設によるリソースの無駄をもたらすことを避け、ネットワーク管理を簡略化させ、メインテナンスコストを低下させ、絶えずに派生したより豊かな付加価値サービスのタイプ、例えばテレテキスト、ＶＯＩＰ（Ｖｏｉｃｅ  ｏｖｅｒ  Ｉｎｔｅｒｎｅｔ  Ｐｒｏｔｏｃｏｌ）、ビデオメール及びネットワークゲーム等に適し、十分にサービス提供の範囲を拡大するために、３つのネットワークの統合能力を有するかどうかは新しいアクセス技術が生命力を有するかどうかの重要な問題になった。しかしながらアクセスネットワーク装置、特に光回線終端（ＯＬＴ）装置は、絶え間ないアップグレード改良中に多種多様な単板タイプを派生し、単一の装置のスロット数及びスイッチング能力に限りがあるため、装置の集積度の更なる向上は困難であり、且つ異なる単板は十分にスロットの帯域幅及び全体のスイッチング能力を利用することができず、余分な帯域幅は他のインターフェースに割り当てて使用することもできず、アクセス方式が制限され、特に毎回のネットワークのアップグレード拡張は、いずれも大量な単板の取り替え、ひいてはプラントの置き換えにかかわり、アップグレードの準備時間が長く、同時に装置の生産コスト及び運用コストが高止まりする。
【発明の概要】
【発明が解決しようとする課題】
【０００５】
本発明の実施例の目的はＯＬＴ（ｏｐｔｉｃａｌ  ｌｉｎｅ  ｔｅｒｍｉｎａｌ、光回線終端）装置及びその実現方法を提供し、それによりＰＯＮに基づいてＯＬＴの３つのネットワークの統合を達成する。
【課題を解決するための手段】
【０００６】
本発明の実施例の光回線終端装置は、インターフェースユニット及びサービス処理装置を備え、そのうち、
前記インターフェースユニットは、前記サービス処理装置が伝送するイーサネット（登録商標）フォーマットのデータを受信し、受信したイーサネットフォーマットのデータをプロトコル処理し、プロトコル処理済みのデータを送信インターフェースと対応する伝送信号に変換して更に外部装置に伝送し、及び外部装置が送信したメッセージデータを受信し、メッセージデータをサービス処理装置と対応するプロトコル処理を行い、プロトコル処理済みの信号をイーサネットフォーマットのデータに変換し、且つ前記サービス処理装置に伝送するように設置され、
前記サービス処理装置は、前記インターフェースユニットが伝送したデータをサービス処理し、且つ処理済みのデータを前記インターフェースユニットに伝送するように設置される。
【０００７】
好ましくは、上記端末装置中において、前記サービス処理装置はイーサネットスイッチを用いて達成される。
【０００８】
好ましくは、上記端末装置中において、前記サービス処理装置はコアエリア、バックプレーンエリア、電源エリア及びファンエリアを含み、そのうち、
前記コアエリアは、前記インターフェースユニットが伝送する信号をサービス処理し、且つ処理済みの信号を前記インターフェースユニットに伝送し、及び前記バックプレーンエリアにより各サービス間のデータ伝送を達成するように設置される。
【０００９】
好ましくは、上記端末装置中において、前記コアエリアは、直通ドーターカード、低速スイッチングドーターカード及び高速スイッチングドーターカードを含み、そのうち、
前記直通ドーターカードは、各スイッチングドーターカードと通信するように設置され、前記スイッチングドーターカードは低速スイッチングドーターカード及び高速スイッチングドーターカードを含み、
前記高速スイッチングドーターカードは、各スイッチングドーターカード間の基本的な通信機能を行い、及び外部装置に送信するメッセージに携帯している情報を処理するように設置され、
前記低速スイッチングドーターカードは、メッセージのバックプレーンエリアでのパッケージング変換を行い、各スイッチングドーターカード間のデータスイッチングを達成するように設置される。
【００１０】
好ましくは、上記端末装置中において、前記高速スイッチングドーターカードは公共スイッチングモジュール、公共管理モジュール、公共クロックモジュール及びカスケード通信モジュールを含み、そのうち、
前記公共スイッチングモジュールは、前記インターフェースユニットが出力したイーサネット信号を受信し、スイッチング部分のメッセージ修正及び転送動作を完成し、ネットワークマネジメントまたはＣＰＵに報告して処理する必要があるメッセージに対して、前記インターフェースユニット中に指定されたイーサネットインターフェースを介して前記公共管理モジュールに転送し、ローカルにＣＰＵがなくまたはローカルＣＰＵが処理することができないためＣＰＵ処理を行うことができないメッセージに対して、直接に前記公共管理モジュールに転送し、普通のサービスメッセージに対して、前記カスケード通信モジュールを転送するように設置され、
前記公共管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないためＣＰＵ処理を行うことができないメッセージに対して、本公共管理モジュールのパッケージングにより直接に前記バックプレーンエリアに出力し、及びバックプレーンエリアからの管理情報メッセージを受信するように設置され、
前記公共クロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートするように設置され、
前記カスケード通信モジュールは、受信した普通のサービスメッセージを処理し、外部装置に送信した時に携帯している情報を確定するように設置される。
【００１１】
好ましくは、上記終端装置中において、前記低速スイッチングドーターカードはローカルスイッチングモジュール、ローカル管理モジュール、ローカルクロックモジュール及びパネル間通信モジュールを含み、そのうち、
前記ローカルスイッチングモジュールは、前記インターフェースユニットが出力したイーサネット信号を受信し、スイッチング部分のメッセージ修正及び転送稼動を完成し、ネットワークマネジメントまたはＣＰＵに報告して処理する必要があるメッセージに対して、前記インターフェースユニット中に指定されたイーサネットインターフェースを介して前記ローカル管理モジュールに転送し、ローカルにＣＰＵがなくまたはローカルＣＰＵが処理することができないためＣＰＵ処理を行うことができないメッセージに対して、直接に前記ローカル管理モジュールに転送し、普通のサービスメッセージに対して、前記カスケード通信モジュールを転送するように設置され、
前記ローカル管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないためＣＰＵ処理を行うことができないメッセージに対して、本公共管理モジュールのパッケージングにより直接に前記バックプレーンエリアに出力し、及びバックプレーンエリアからの管理情報メッセージを受信するように設置され、
前記ローカルクロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートするように設置され、
前記パネル間通信モジュールは、受信した普通のサービスメッセージを処理し、メッセージのバックプレーンエリアでのパッケージングの変換を完成し、及びデータを別の低速スイッチングドーターカードまたは本装置内の高速スイッチングドーターカードに伝送するように設置される。
【００１２】
好ましくは、上記終端装置中において、前記インターフェースユニットは、
イーサネット受動光ネットワーク（ＥＰＯＮ）インターフェースドーターカード、ギガビット受動光ネットワーク（ＧＰＯＮ）インターフェースドーターカード、１０Ｇ  ＧＰＯＮインターフェースドーターカード、１０Ｇ  ＥＰＯＮインターフェースドーターカード、直交周波数分割多重受動光ネットワーク（ＯＦＤＭ−ＰＯＮ）インターフェースドーターカード、波長分割多重受動光ネットワーク（ＷＤＭ−ＰＯＮ）インターフェースドーターカード、ファーストイーサネット（ＦＥ）電気インターフェースドーターカード、ギガイーサネット（ＧＥ）光電気インターフェースドーターカード、Ｅ１インターフェースドーターカード、Ｔ１インターフェースドーターカード、ＳＴＭ−１光ポートドーターカード、ＳＴＭ−４光ポートドーターカード、ＲＳ２３２シリアルポートドーターカード、ＢＩＴＳインターフェースドーターカードのうちの１種または複数のインターフェースドーターカードを含む。
【００１３】
好ましくは、上記終端装置中において、前記コアエリア中における複数の低速スイッチングドーターカード及び高速スイッチングドーターカードを一つのスイッチングドーターカードに仮想して使用する。
【００１４】
好ましくは、上記終端装置中において、前記コアエリア中における複数の高速スイッチングドーターカードをカスケード使用する。
【００１５】
本発明の実施例は光回線終端装置の実現方法を更に開示し、
光回線終端装置中においてインターフェースユニットは、外部装置が送信したメッセージデータを受信し、メッセージデータを光回線終端装置中においてサービス処理装置と対応するプロトコル処理を行い、更にプロトコル処理済みの信号をイーサネットフォーマットのデータに変換し、前記サービス処理装置に伝送すること、
前記サービス処理装置は、前記インターフェースユニットが伝送したデータをサービス処理し、処理済みのデータをイーサネットフォーマットに従って前記インターフェースユニットに伝送すること、
前記インターフェースユニットは、前記サービス処理装置が伝送するイーサネットフォーマットのデータを受信し、受信したイーサネットフォーマットのデータをプロトコル処理し、プロトコル処理済みのデータを送信インターフェースと対応する伝送信号に変換して更に外部装置に伝送することを含む。
【００１６】
好ましくは、上記方法中において、前記サービス処理装置はイーサネットスイッチを用いて達成される。
【００１７】
好ましくは、上記方法中において、前記サービス処理装置はコアエリア、バックプレーンエリア、電源エリア及びファンエリアを含み、そのうち、
前記コアエリアは、前記インターフェースユニットが伝送する信号をサービス処理し、且つ処理済みの信号を前記インターフェースユニットに伝送し、及び前記バックプレーンエリアにより各サービス間のデータ伝送を達成する。
【００１８】
好ましくは、上記方法中において、前記コアエリアは、直通ドーターカード、低速スイッチングドーターカード及び高速スイッチングドーターカードを含み、そのうち、
前記直通ドーターカードは各スイッチングドーターカードと通信し、前記スイッチングドーターカードは低速スイッチングドーターカード及び高速スイッチングドーターカードを含み、
前記高速スイッチングドーターカードは各スイッチングドーターカード間の基本的な通信機能を行い、及び外部装置に送信するメッセージに携帯している情報を処理し、
前記低速スイッチングドーターカードはメッセージのバックプレーンエリアでのパッケージング変換を行い、各スイッチングドーターカード間のデータスイッチングを達成する。
【００１９】
好ましくは、上記方法中において、前記高速スイッチングドーターカードは公共スイッチングモジュール、公共管理モジュール、公共クロックモジュール及びカスケード通信モジュールを含み、そのうち、
前記公共スイッチングモジュールは、前記インターフェースユニットが出力したイーサネット信号を受信し、スイッチング部分のメッセージ修正及び転送動作を完成し、ネットワークマネジメントまたはＣＰＵに報告して処理する必要があるメッセージに対して、前記インターフェースユニット中に指定されたイーサネットインターフェースを介して前記公共管理モジュールに転送し、ローカルにＣＰＵがなくまたはローカルＣＰＵが処理することができないためＣＰＵ処理を行うことができないメッセージに対して、直接に前記公共管理モジュールに転送し、普通のサービスメッセージに対して、前記カスケード通信モジュールを転送し、
前記公共管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないためＣＰＵ処理を行うことができないメッセージに対して、本公共管理モジュールのパッケージングにより直接に前記バックプレーンエリアに出力し、及びバックプレーンエリアからの管理情報メッセージを受信し、
前記公共クロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートし、
前記カスケード通信モジュールは、受信した普通のサービスメッセージを処理し、外部装置に送信した時に携帯している情報を確定する。
【００２０】
好ましくは、上記方法中において、前記低速スイッチングドーターカードはローカルスイッチングモジュール、ローカル管理モジュール、ローカルクロックモジュール及びパネル間通信モジュールを含み、そのうち、
前記ローカルスイッチングモジュールは、前記インターフェースユニットが出力したイーサネット信号を受信し、スイッチング部分のメッセージ修正及び転送稼動を完成し、ネットワークマネジメントまたはＣＰＵに報告して処理する必要があるメッセージに対して、前記インターフェースユニット中に指定されたイーサネットインターフェースを介して前記ローカル管理モジュールに転送し、ローカルにＣＰＵがなくまたはローカルＣＰＵが処理することができないためＣＰＵ処理を行うことができないメッセージに対して、直接に前記ローカル管理モジュールに転送し、普通のサービスメッセージに対して、前記カスケード通信モジュールを転送し、
前記ローカル管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないためＣＰＵ処理を行うことができないメッセージに対して、本公共管理モジュールのパッケージングにより直接に前記バックプレーンエリアに出力し、及びバックプレーンエリアからの管理情報メッセージを受信し、
前記ローカルクロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートし、
前記パネル間通信モジュールは、受信した普通のサービスメッセージを処理し、メッセージのバックプレーンエリアでのパッケージングの変換を完成し、及びデータを別の低速スイッチングドーターカードまたは本装置内の高速スイッチングドーターカードに伝送する。
【００２１】
好ましくは、上記方法中において、前記コアエリア中における複数の低速スイッチングドーターカード及び高速スイッチングドーターカードを一つのスイッチングドーターカードに仮想して使用する。
【００２２】
好ましくは、上記方法中において、前記コアエリア中における複数の高速スイッチングドーターカードをカスケード使用する。
【発明の効果】
【００２３】
本願の技術案が提供するパケットコアの統合型ＯＬＴ装置及びその実現方法を提供し、ＯＬＴ装置内のコンポーネントのコンパクト化及びモジュール化を達成し、ＰＯＮに基づく３つのネットワークの統合を達成するための基礎を築く。
【図面の簡単な説明】
【００２４】
【図１】図１はＰＯＮシステムの標準的なアプリケーションネットワーキングの模式図である。
【図２】図２は従来のＯＬＴ装置システム構造の模式図である。
【図３】図３は本実施例中に提供するＯＬＴ装置構造の模式図である。
【図４】図４は本実施例中に提供するＯＬＴ装置の達成構造の模式図である。
【図５】図５は本実施例中に提供するＯＬＴ装置インターフェースドーターカード構造の模式図である。
【図６】図６は本実施例中に提供するＯＬＴ装置スイッチングドーターカード構造の模式図である。
【発明を実施するための形態】
【００２５】
以下、図面を参照しながら本発明の技術案を詳細に説明する。ただし、衝突がない場合、本願における実施例及び実施例における特徴は互いに任意に組み合せることができる。
【００２６】
実施例１
本実施例は少なくともインターフェースユニット及びサービス処理装置を備える光回線終端装置を提供する。
【００２７】
インターフェースユニットは、前記サービス処理装置が伝送するイーサネットフォーマットのデータを受信し、受信したイーサネットフォーマットのデータをプロトコル処理し、プロトコル処理済みのデータを送信インターフェースと対応する伝送信号に変換して更に外部装置に伝送し、及び外部装置が送信したメッセージデータを受信し、メッセージデータをサービス処理装置と対応するプロトコル処理を行い、プロトコル処理済みの信号をイーサネットフォーマットのデータに変換し、且つ前記サービス処理装置に伝送し、
具体的に、インターフェースユニット中には、
ＥＰＯＮインターフェースドーターカード、ＧＰＯＮインターフェースドーターカード、１０Ｇ  ＧＰＯＮインターフェースドーターカード、１０Ｇ  ＥＰＯＮインターフェースドーターカード、ＯＦＤＭ−ＰＯＮインターフェースドーターカード、ＷＤＭ−ＰＯＮインターフェースドーターカード、ＦＥ電気インターフェースドーターカード、ＧＥ光電気インターフェースドーターカード、Ｅ１インターフェースドーターカード、Ｔ１インターフェースドーターカード、ＳＴＭ−１光ポートドーターカード、ＳＴＭ−４光ポートドーターカード、ＲＳ２３２シリアルポートドーターカード、ＢＩＴＳインターフェースドーターカード等のうちの１種または複数種のドーターカードを含んでも良い。
【００２８】
好ましくは、インターフェースユニット中において各インターフェースドーターカードは同一または等比例のパッケージング寸法を用いて、且つ統一なインターフェース形式によりサービス処理装置と接続される。そのうち、各インターフェースドーターカードが同一または等比例のパッケージング寸法を用いるのは資材用意、生産、加工を容易にするためであり、且つ使用過程中においてに置換、メインテナンスの柔軟性がある。例えば、ＧＥ光電気インターフェースドーターカードの代わりに、ＳＴＭ−１光ポートドーターカードを用い、物理的寸法の変更がなく、インターフェースエリアの他のドーターカードサービスに影響を与えない。
【００２９】
さらにただし、インターフェースユニットは上記の各種のドーターカードを含むほか、同一原理下で新機能に対して開発された１種または複数種のインターフェースドーターカード、及び従来の複数種のインターフェース機能と互換性があるインターフェースドーターカードを含んでもよい。
【００３０】
サービス処理装置は、主にインターフェースユニットが伝送する信号をサービス処理し、且つ処理済みの信号をインターフェースユニットに伝送する。もちろん、３つのネットワークの統合能力のハードウェア基礎を有するように、サービス処理装置は更に内因性信号（例えば、内因性の管理メッセージ、コントロールシグナリング等）を処理し、及びアクセスされるサービスデータに対してパケット化処理及び転送等を行ってもよい。
【００３１】
そのうち、サービス処理装置の具体的な達成形式は制限されない。
【００３２】
たとえば、一台の標準のイーサネットスイッチを用いて達成することができ、インターフェースユニットの各種インターフェースドーターカードはいずれも標準のイーサネットスイッチインターフェース上において直接に挿したり抜いたりすることをサポートする。
【００３３】
さらに、サービス処理装置を更に分けてもよく、すなわちサービス処理装置は少なくともコアエリア、バックプレーンエリア、電源エリア及びファンエリアからなる。この時、光回線終端装置全体の構造は図３に示される。そのうち、コアエリアは、インターフェースユニットが伝送する信号をサービス処理し、且つ処理済みの信号をインターフェースユニットに伝送し、且つバックプレーンエリアにより各サービス間のデータ伝送を達成する。
【００３４】
具体的に、更に図３に示す光回線終端（ＯＬＴ）装置に対して物理及び論理的のパーティションを行ってもよく、パーティション内にそれぞれコンパクト化及びモジュール化のコンポーネントを提供し、その終端装置の構造は図４に示される。
【００３５】
コアエリアは直通ドーターカード、低速スイッチングドーターカード及び高速スイッチングドーターカード等のモジュール化されたコアコンポーネントを含み、各コンポーネントコンポーネントはインターフェースエリアからバックプレーンエリアへの接続を完成する。
【００３６】
直通ドーターカードは、本装置内のその他のドーターカードとのデータ伝送を達成するように、主に各スイッチングドーターカードとの間に通信を行い、       
高速スイッチングドーターカードは、各スイッチングドーターカード間の基本的な通信機能を行い、及び外部装置に送信するメッセージに携帯している情報を処理するように設置され、
低速スイッチングドーターカードは、メッセージのバックプレーンエリアでのパッケージング変換を行い、各スイッチングドーターカード間のデータスイッチングを達成するように設置される。
【００３７】
好ましくは、上記複数の低速／高速スイッチングドーターカードを一つのスイッチングドーターカードに仮想して使用することができる。このように、装置は仮想化を起動した後、元に複数のスイッチングドーターカードに分離しているサービスを、一つのスイッチングドーターカード上に仮想して完成することができ、処理転送過程はローカルネットワークと同様であり、大幅にフローを簡略化させることができる。装置は仮想化を起動した後、異なるスイッチングドーターカード間にハードウェア資源を共有することができ、このように一つのスイッチングドーターカードは他のスイッチングドーターカードの余剰スイッチング能力を利用してサービスを転送することができ、それによりリソースの利用率を向上させる。装置は仮想化を起動した後、異なるスイッチングドーターカード間が更にサービスフローを分担することもでき、このように一つのスイッチングドーターカードの故障によるその上のすべてのサービスの中断を避け、装置失効リスクを低下させることができる。さらに、複数の高速スイッチングドーターカードをカスケードによりより大きな容量の装置に形成して使用することができる。
【００３８】
以下、受動光ネットワーク（ＰＯＮ）の実際のサービスで上記終端装置を詳細に記述する。
【００３９】
図４に示す終端装置中において、インターフェースユニットの原理は図５に示される。上りリンクサービスはサービスインターフェースドーターカードの光モジュールにより光信号から電気信号への変換を完成し、次にＰＯＮ  ＭＡＣチップにより、ＰＯＮ  ＭＡＣ層のプロトコル処理を完成し、且つデータをイーサネットフォーマットに変換し、イーサネットインターフェースを介して送信し、出口のサービスインターフェースドーターカードに送信する。サービスインターフェースドーターカードは低速／高速スイッチングドーターカードに接続され、本ネットワーク内のサービスインターフェースドーターカード間の通信はスイッチングドーターカード内に完成され、外部ネットワークに送信するサービスはバックプレーンにより送信される。具体的に、すなわちローカルサービスは通常に一つのスイッチングドーターカード内に完成することができ、外部ネットワークに送信するサービスはバックプレーンにより別の一つのスイッチングドーターカードに送信されて別のネットワークの処理を引き続き行い、次に出力される必要がある。別の一つのスイッチングドーターカードが同一の装置内にある時、データはバックプレーンにより転送されればよく、別の一つのスイッチングドーターカードが同一の装置内にない時、外部ネットワークに送信するサービスは、まずバックプレーンにより本装置の高速スイッチングドーターカードに送信され、次にインターフェースユニットにより送り出される必要がある。本発明の実施例のインターフェースドーターカードに用いるのは標準イーサネットインターフェースであるため、従って異なるＰＯＮプロトコルのインターフェースドーターカードはいずれもスイッチングドーターカードに接続することができ、統一な処理を行う。統一なインターフェースユニットは、異なる種類のＰＯＮネットワークデバイスに接続することをサポートし、装置の柔軟性を強化する。標準化されたインターフェースユニットは、各種の異なる単板のインターフェース処理を、統一なドーターカード形式に変更し、装置の複雑度を低下させる。
【００４０】
高速スイッチングドーターカードの原理は図６に示される。公共スイッチングモジュール、公共管理モジュール、公共クロックモジュール及びカスケード通信モジュールを含む。公共スイッチングモジュールを中心とし、それは前置入力インターフェースドーターカードが出力したイーサネット信号を受信し、スイッチング部分のメッセージ修正及び転送動作を完成する。ネットワークマネジメントまたはＣＰＵに報告して処理する必要があるメッセージに対して、設定されたイーサネットＧＭＩＩインターフェース（上層ソフトウェアに指定されたあるインターフェースドーターカード、例えばＦＥ電気インターフェースドーターカード）を介して公共管理モジュールに転送してローカルＣＰＵ処理を行い、ローカルにＣＰＵがなくまたはローカルＣＰＵが処理することができないメッセージに対して、公共管理モジュールのパッケージングにより直接にバックプレーンエリアに出力することができ、同時に公共管理モジュールはバックプレーンエリアからの管理情報メッセージを受信することもでき、入力クロック信号に対して、インターフェースドーターカードを経た後高速スイッチングドーターカードの公共クロックモジュールに送信して処理し、該公共クロックモジュールはスイッチングモジュールに接続する任意の２チャネルのインターフェース信号のチャンネル関連クロック信号の設定及び抽出をサポートし、公共クロックモジュールは同様にバックプレーンエリアへの直接通信をサポートし、普通のサービスメッセージ（すなわちネットワークマネジメントに報告する必要がある、ＣＰＵ処理の必要があるものほか、ローカルにＣＰＵがなく及びローカルＣＰＵが処理することができないその他メッセージ）に対して、公共スイッチングモジュールの処理を経た後、引き続きカスケード通信モジュールに転送して処理し、カスケード通信モジュールは受信した普通のサービスメッセージを処理する時、更に外部装置に送信した時に携帯している情報を確定する。
【００４１】
低速スイッチングドーターカードはローカルスイッチングモジュール、ローカル管理モジュール、ローカルクロックモジュール及びパネル間通信モジュールを含み、主に各スイッチングドーターカード間の通信及びデータ伝送を行い、メッセージのバックプレーンエリアでのパッケージングの変換を完成し、及びデータを別の低速スイッチングドーターカードまたは本装置内の高速スイッチングドーターカードに伝送する。ローカルスイッチングモジュールは、インターフェースユニットが出力したイーサネット信号を受信し、スイッチング部分のメッセージ修正及び転送稼動を完成し、ネットワークマネジメントまたはＣＰＵに報告して処理する必要があるメッセージに対して、インターフェースユニット中に指定されたイーサネットインターフェースを介してローカル管理モジュールに転送し、ローカルにＣＰＵがなくまたはローカルＣＰＵが処理することができないメッセージに対して、直接にローカル管理モジュールに転送し、普通のサービスメッセージに対して、カスケード通信モジュールに転送する。ローカル管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないメッセージに対して、本公共管理モジュールのパッケージングにより直接に前記バックプレーンエリアに出力し、及びバックプレーンエリアからの管理情報メッセージを受信する。ローカルクロックモジュール、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートする。パネル間通信モジュールは、受信した普通のサービスメッセージを処理し、メッセージのバックプレーンエリアでのパッケージングの変換を完成し、及びデータを別の低速スイッチングドーターカードまたは本装置内の高速スイッチングドーターカードに伝送する。
【００４２】
さらに、本実施例の統合型ＯＬＴ装置は独立なバックプレーンエリアを設計して提供しており、一つのバックプレーンを含み、コアエリアのデータスイッチング、管理情報伝送及びクロック信号伝達をサポートし、スマート電源エリアは二つの電源ドーターカードを含み、メイン、スタンバイ電源が同時に給電することをサポートし、メイン、スタンバイの切り替えは他のパーティションに感知されず、柔軟的なファンエリアは複数種の異なるタイプのファンドーターカードを含み、各パーティションに異なる放熱策略を提供することに用いられる。
【００４３】
実施例２
本実施例は光回線終端装置の実現方法を提供し、該方法は、
光回線終端装置中においてインターフェースユニットは、外部装置が送信したメッセージデータを受信し、メッセージデータを光回線終端装置中においてサービス処理装置と対応するプロトコル処理を行い、更にプロトコル処理済みの信号をイーサネットフォーマットのデータに変換し、前記サービス処理装置に伝送すること、
サービス処理装置は、前記インターフェースユニットが伝送したデータをサービス処理し、処理済みのデータをイーサネットフォーマットに従って前記インターフェースユニットに伝送すること、
インターフェースユニットは、前記サービス処理装置が伝送するイーサネットフォーマットのデータを受信し、受信したイーサネットフォーマットのデータをプロトコル処理し、プロトコル処理済みのデータを送信インターフェースと対応する伝送信号に変換して更に外部装置に伝送することを含む。
【００４４】
そのうち、サービス処理装置はイーサネットスイッチを用いて達成されてもよい。
【００４５】
上記サービス処理装置は他の方式を用いて達成されてもよく、たとえばコアエリア、バックプレーンエリア、電源エリア及びファンエリアからなり、そのうち、
コアエリアは、インターフェースユニットが伝送する信号をサービス処理し、且つ処理済みの信号を前記インターフェースユニットに伝送し、及びバックプレーンエリアにより各サービス間のデータ伝送を達成する。
【００４６】
具体的に、コアエリアは直通ドーターカード、低速スイッチングドーターカード及び高速スイッチングドーターカードを更に含む。
【００４７】
直通ドーターカードは、各スイッチングドーターカードと通信し、前記スイッチングドーターカードは低速スイッチングドーターカード及び高速スイッチングドーターカードを含み、
高速スイッチングドーターカードは、各スイッチングドーターカード間の基本的な通信機能を行い、及び外部装置に送信するメッセージに携帯している情報を処理し、
低速スイッチングドーターカードは、メッセージのバックプレーンエリアでのパッケージング変換を行い、各スイッチングドーターカード間のデータスイッチングを達成する。
【００４８】
高速スイッチングドーターカードは公共スイッチングモジュール、公共管理モジュール、公共クロックモジュール及びカスケード通信モジュールを更に含み、そのうち、
公共スイッチングモジュールは、前記インターフェースユニットが出力したイーサネット信号を受信し、スイッチング部分のメッセージ修正及び転送動作を完成し、ネットワークマネジメントまたはＣＰＵに報告して処理する必要があるメッセージに対して、前記インターフェースユニット中に指定されたイーサネットインターフェースを介して前記公共管理モジュールに転送し、ローカルにＣＰＵがなくまたはローカルＣＰＵが処理することができないメッセージに対して、直接に前記公共管理モジュールに転送し、普通のサービスメッセージに対して、前記カスケード通信モジュールを転送し、
公共管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないメッセージに対して、本公共管理モジュールのパッケージングにより直接に前記バックプレーンエリアに出力し、及びバックプレーンエリアからの管理情報メッセージを受信し、
公共クロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートし、
カスケード通信モジュールは、受信した普通のサービスメッセージを処理し、外部装置に送信した時に携帯している情報を確定する。
【００４９】
低速スイッチングドーターカードはローカルスイッチングモジュール、ローカル管理モジュール、ローカルクロックモジュール及びパネル間通信モジュールを含む。
【００５０】
ローカルスイッチングモジュールは、前記インターフェースユニットが出力したイーサネット信号を受信し、スイッチング部分のメッセージ修正及び転送稼動を完成し、ネットワークマネジメントまたはＣＰＵに報告して処理する必要があるメッセージに対して、前記インターフェースユニット中に指定されたイーサネットインターフェースを介して前記ローカル管理モジュールに転送し、ローカルにＣＰＵがなくまたはローカルＣＰＵが処理することができないメッセージに対して直接に前記ローカル管理モジュールに転送し、普通のサービスメッセージに対して、前記カスケード通信モジュールを転送し、
ローカル管理モジュールは、受信したネットワークマネジメントまたはＣＰＵに報告して処理する必要があるメッセージに対してローカルＣＰＵ処理を行い、ローカルにＣＰＵがなくまたはローカルＣＰＵが処理することができないメッセージに対して、本公共管理モジュールのパッケージングにより直接に前記バックプレーンエリアに出力し、及びバックプレーンエリアからの管理情報メッセージを受信し、
ローカルクロックモジュールは、前記インターフェースユニットを経た後の入力クロック信号を処理し、スイッチングモジュールに接続する任意の２チャネルのインターフェース信号のチャンネル関連クロック信号の設定及び抽出をサポートし、バックプレーンエリアへの直接通信をサポートし、
パネル間通信モジュールは、受信した普通のサービスメッセージを処理し、メッセージのバックプレーンエリアでのパッケージングの変換を完成し、及びデータを別の低速スイッチングドーターカードまたは本装置内の高速スイッチングドーターカードに伝送する。
【００５１】
実際の応用中において、上記コアエリア中における複数の低速スイッチングドーターカード及び高速スイッチングドーターカードを一つのスイッチングドーターカードに仮想して使用してもよい。及びコアエリア中における複数の高速スイッチングドーターカードをカスケード使用してより大きな容量の装置を形成して使用してもよい。
【００５２】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本願はあらゆる特定形式のハードウェアとソフトウェアの組合せに限らない。
【００５３】
上記実施例から分かるように、本願の技術案は従来技術に比べて、明らかな際立った実質的な特徴及び顕著な進歩を有する。
Ａ）本願が提供するＯＬＴ装置は、標準化されたインターフェースユニットを有し、各種の異なる単板のインターフェース処理を、統一なドーターカード形式に変更し、それにより標準のイーサネットスイッチインターフェース上において直接に挿したり抜いたりすることをサポートし、大幅に装置の複雑度を低下させる。
Ｂ）本願が提供するＯＬＴ装置は、モジュール化されたインターフェースユニットを更に有し、実際のニーズに応じてインターフェースを設定することができ、より多くの異なる種類のネットワークデバイスに接続することをサポートし、装置の柔軟性を強化する。
Ｃ）本願が提供するＯＬＴ装置は、コンパクト化されたインターフェースユニットを有し、従来の装置の最大のインターフェース数量の２倍を超えるインターフェースユニットを提供することができ、より多くのユーザのアクセスをサポートすることができ、装置の集積度を向上させる。
Ｄ）本願が提供するＯＬＴ装置は、仮想化されたスイッチングユニットを有し、複数のスイッチングドーターカードを一つのスイッチングドーターカードに仮想して使用することができ、スイッチングドーターカード間に負荷をバランスさせ、資源利用率を大幅に向上させる。
Ｅ）本願が提供するＯＬＴ装置は、分布化されたスイッチングユニットを有し、単一のスイッチングドーターカードは独立に８０％以上のローカルサービスフローを転送することができ、装置はより高いアクセス帯域幅を提供する。
Ｆ）本願が提供するＯＬＴ装置は、パケット化されたスイッチングユニットを有し、サービスフロー制御に基づいてデータの転送により、次世代ネットワークへの移行をスムーズにすることができ、効果的に装置運用コストを低下させる。
Ｇ）本願が提供するＯＬＴ装置は、モジュール化されたスイッチングユニットを有し、装置内及び装置間のスイッチングユニットカスケードの形式で、既存のスイッチングコンポーネントを統合し、大幅にネットワークアップグレード拡張の準備時間を短くする。
【産業上の利用可能性】
【００５４】
本願の実施例が提供するパケットコアの統合型ＯＬＴ装置及びその実現方法は、ＯＬＴ装置内のコンポーネントのコンパクト化及びモジュール化を達成し、ＰＯＮに基づく３つのネットワークの統合を達成するための基礎を築く。
【図１】
0005908163.tif 000002
【図２】
0005908163.tif 000003
【図３】
0005908163.tif 000004
【図４】
0005908163.tif 000005
【図５】
0005908163.tif 000006
【図６】
0005908163.tif 000007